(57)【要約】【課題】車両の運転者に事前に逆走を気づかせることで、それぞれの車両が安全に走行することができる逆走防止装置を提供する。【解決手段】逆走防止装置１０は、高速道路１のサービスエリアやパーキングエリアなどの休憩施設３へ駐車して休憩した後に、駐車場から一方通行路である本線２へ退出する際に、車両に退出方向を案内する標識１１が、進入路４から退出路６に至るまで退出方向に沿って所定間隔ごとに設置されている。この標識１１は、退出方向へ向いた矢印１４ａが付与されていると共に、連続的、または断続的に発光する発光部１４ｂが設けられた標示部１４と、基礎となるコンクリートブロック１２と、道路面から立設して標示部１４を支持するポール１３とから形成されている。逆走防止装置１０は、発光部１４ｂを断続的に発光させるための点滅回路を設けたり、点灯状態や滅灯状態が移動するように点滅する制御装置を設けたりすることができる。【選択図】図１
2011013946.tif 000002
【特許請求の範囲】
【請求項１】
駐車場から一方通行路へ退出する車両に退出方向を案内する標識が、前記退出方向に沿って設置され、
前記標識には、退出方向へ向いた矢印が付与されていると共に、連続的、または断続的に発光する発光部が設けられていることを特徴とする逆走防止装置。
【請求項２】
前記標識は、高速道路の休憩施設へ進入するための進入路から、前記一方通行路である本線へ戻るための退出路の方向に向かって設置されている請求項１記載の逆走防止装置。
【請求項３】
前記標識は、前記一方通行路である一方通行の一般道であって、駐車場の出口が面した一般道に沿って設置されている請求項１記載の逆走防止装置。
【請求項４】
前記発光部は、前記駐車場の出口に設けられた出庫車検知装置からの検知信号に基づいて連続的、または断続的に発光する請求項３記載の逆走防止装置。
【請求項５】
前記標識は、道路面から立設されたポールと、前記ポールの上部に設けられ、前記矢印が付与された標示部とを備えている請求項１から４のいずれかの項に記載の逆走防止装置。
【請求項６】
前記標識は、前記退出方向に沿って配置されたガードレールのビーム、またはガードパイプのパイプに設けられている請求項１から４のいずれかの項に記載の逆走防止装置。
【発明の詳細な説明】
【技術分野】
【０００１】
本発明は、一方向のみの走行が許容される道路（以下、これを一方通行路と称す。）への進入の際に、一方向とは反対となる逆走を予防する逆走防止装置に関するものである。
【背景技術】
【０００２】
車両を安全に走行させるための技術が開発されている。例えば、特許文献１〜３には、道路に沿って路肩に複数の誘導灯を配置することで車両が道路を安全に走行できるようにしたものが記載されている。
【０００３】
特許文献１に記載の視線誘導灯システムは、曲線道路の路肩部分に設置した視線誘導灯における発光面の前面に透過率が変化する輝度調整部が設置され、運転者の背景視野の変化に応じて制御手段が視線誘導灯自身をシルエット視および逆シルエット視に見せるものである。
【０００４】
特許文献２に記載の視線誘導標装置は、発光部を設置した道路区間を見通せる最遠位置に設置された第１の検知部と第１の検知部と発光部との間に設置された第２の検知部を備え、車両が、第１の検知部を通過した時点から第２の検知部を通過する時点まで発光部を連続点灯させ、第２の検知部を通過した時点から発光部の終端を通過する時点まで発光部を進行方向に移動する点灯流れパターンとなるものである。
【０００５】
特許文献３に記載の走行ガイドライト装置は、照明方向を車両に対向させ、路側に沿って複数個配置された照明手段と、各車両の車速を測定する速度センサと、速度センサの出力に基づいて先行車両と後行車両との車間距離を演算し、この車間距離に応じて先行車両と後行車両との間に位置する照明手段の点灯状態を変化させる制御手段とを設けたものである。
【先行技術文献】
【特許文献】
【０００６】
【特許文献１】特開平６−３３７９９９号公報
【特許文献２】特開平７−１５０５２８号公報
【特許文献３】特開１０−６０８３４号公報
【発明の概要】
【発明が解決しようとする課題】
【０００７】
ところで、駐車場に車両を止めた後に、再び走行路へ出るときに、進行方向を誤ることがある。例えば、高速道路のサービスエリアやパーキングエリアに駐車し、買い物や手洗いを済ませた後、再び本線に戻る際に、車両から離れたことで方向感覚がずれ、退出路へ向かわずに、進入路へ再び進入し本線を逆走してしまうことが問題となっている。
【０００８】
一方通行路である本線を車両が逆走すると、順走している車両に対して正面から対向車両が向かってくることになるので、大変危険な状態である。この状態は、一般道でも危険であるが、高速道路では走行する車両の速度が一般道より早いので、更に危険である。車両を安全に走行させるためは、この点についても対策を講じることが重要である。
【０００９】
そこで本発明は、車両の運転者に事前に逆走を気づかせることで、それぞれの車両が安全に走行することができる逆走防止装置を提供することを目的とする。
【課題を解決するための手段】
【００１０】
本発明の逆走防止装置は、駐車場から一方通行路へ退出する車両に退出方向を案内する標識が、前記退出方向に沿って設置され、前記標識には、退出方向へ向いた矢印が付与されていると共に、連続的、または断続的に発光する発光部が設けられていることを特徴とする。
【００１１】
本発明の逆走防止装置は、標識が退出方向に沿って所定間隔ごとに設置されたものである。この標識には、退出方向へ向いた矢印が付与されていると共に、連続的、または断続的に発光する発光部が設けられているので、運転者の注意が喚起され、矢印が向いた方向が退出方向であることに気が付かせることができる。従って、この逆走防止装置は、駐車場から一方通行路へ退出する車両の運転者に退出方向を案内することができる。
【００１２】
前記標識は、高速道路の休憩施設へ進入するための進入路から、前記一方通行路である本線へ戻るための退出路の方向に向かって設置されていると、高速道路の休憩施設からの退出方向を運転者に案内することができるので、誤って進入路から退出して本線を逆走してしまうことを防止することができる。
【００１３】
前記標識は、前記一方通行路である一方通行の一般道であって、駐車場の出口が面した一般道に沿って設置されていると、駐車場から一方通行の一般道に退出するときに、一方通行を逆走してしまうことを防止することができる。
【００１４】
前記発光部は、前記駐車場の出口に設けられた出庫車検知装置からの検知信号に基づいて連続的、または断続的に発光するのが望ましい。駐車場の出口に設けられた出庫車検知装置が退出する車両を検知して検知信号を出力する。この検知信号に基づいて発光部が、連続的、または断続的に発光することで、駐車場から退出する際に運転手に対して注意喚起させることができる。
【００１５】
前記標識を、道路面から立設されたポールと、前記ポールの上部に設けられ、前記矢印が付与された標示部とを備えていることも可能である。ポールの高さを調整することで、ガードレールが敷設されていても、標示部を運転者から視認しやすい高さとすることができる。
【００１６】
前記標識を、退出方向に沿って配置されたガードレールのビーム、またはガードパイプのパイプに設けることができる。ガードレールやガードパイプに直接標識を設ければ、支柱により所定高さ標識を設置することができるので、標識を所定高さとするための部材を新たに準備することなく設置することができる。また、標識をガードレールやガードパイプから上方に延びる取付具を用いて取り付ければ、ビームやパイプを支持する支柱により、ある程度の高さが確保できるので、道路面からの高さを確保するために長さの長い部材を準備する必要がない。
【発明の効果】
【００１７】
本発明の逆走防止装置は、発光部により照光された矢印により、矢印が向いた方向が退出方向であることに気が付かせることができるので、駐車場から一方通行路へ退出する車両の運転者に退出方向を案内することができる。よって、本発明の逆走防止装置は、車両の運転者に事前に逆走を気づかせることで、それぞれの車両が安全に走行することができる。
【図面の簡単な説明】
【００１８】
【図１】本実施の形態１に係る逆走防止装置が高速道路の休憩施設に設置された状態を示す図である。
【図２】図１に示す逆走防止装置の標識を示す図である。
【図３】図２に示す標識の発光体の点灯を説明するための図であり、（ａ）は点滅回路を説明するための図、（ｂ）は制御装置を説明するための図である。
【図４】本実施の形態２に係る逆走防止装置が一般道に面した駐車場に設置された状態を示す図である。
【図５】図４に示す標識の発光体の点灯制御する制御装置を説明するための図である。
【図６】（ａ）〜（ｃ）は、実施の形態１，２に係る逆走防止装置の標識の第１変形例を示す図である。
【図７】実施の形態１，２に係る逆走防止装置の標識の第２変形例を示す図である。
【発明を実施するための形態】
【００１９】
（実施の形態１）
本発明の実施の形態１に係る逆走防止装置について、図面に基づいて説明する。本実施の形態１に係る逆走防止装置では、高速道路に敷設されたサービスエリアやパーキングエリアなどの休憩施設に設置される場合について説明する。
図１に示す高速道路１では、一方通行路である２車線の本線２に休憩施設３が敷設されている。この休憩施設３には、本線２から進入するための進入路４と、進入した車両が駐車する駐車場５と、本線２へ復帰するための退出路６とが設けられている。
【００２０】
そして、休憩施設３には、この休憩施設３と本線２とを分離する分離帯７であって、進入路４から退出路６の方向に設けられた分離帯７に、逆走防止装置１０が設置されている。
逆走防止装置１０は、所定間隔ごとに標識１１を列状に設置したものである。本実施の形態１では、標識１１が、進入路４から駐車場５を経由して退出路６に至るまで設置されている。
【００２１】
ここで、標識１１について、図２に基づいて詳細に説明する。
標識１１は、道路に埋設される基礎となるコンクリートブロック１２と、道路面から立設されたポール１３と、ポール１３の上部に設けられた標示部１４とから形成されている。
【００２２】
標示部１４は、灰色の背景に、橙色の矢印１４ａが塗装されている。そして、標示部１４には、矢印１４ａの輪郭線上に、発光部として機能する矢印１４ａを囲う発光体１４ｂが設けられている。発光体１４ｂは、発光するものであれば電球でもよいが、長寿命で省電力、かつ高輝度な発光ダイオードを採用している。
【００２３】
この発光体１４ｂは、連続的に発光したり、断続的に発光したりすることができる。
発光体１４ｂを連続的に発光させる場合には、電源から電流を発光体１４ｂへ常時供給する。発光体１４ｂを断続的に発光させる場合には、電源からの電流を所定時間ごとに通電したり遮断したりする点滅回路１４ｃ（図３（ａ）参照）を設ける。また、列状に配置された標識１１の発光体１４ｂに対して、発光状態を退出方向へ移動させたり、滅灯状態を退出方向へ移動させたりする場合には、それぞれの標識１１に設けられた発光体１４ｂを点灯させたり滅灯させたりする制御装置１４ｄ（図３（ｂ）参照）を設ける。
【００２４】
その際の電源としては、休憩施設３に設置された施設から給電したり、太陽光発電パネルと蓄電池とによる電源としたりすることができる。
【００２５】
以上のように構成された本発明の実施の形態１に係る逆走防止装置１０の使用状態について、図１に基づいて説明する。
本線２から進入路４を通過して休憩施設３へ進入した車両は、駐車場５の空きスペースに駐車する。そして、飲食や休憩、手洗いなどを済ませ、再び車両に乗車し、退出方向へ向かう。その際、退出方向（図１においては実線矢線で示す。）を誤認して、進入方向（図１においては破線矢線で示す。）へ向かうことがある。
【００２６】
運転者は、誤認することで進入路４へ向かってしまうが、進入路４出口付近に進んだ段階で、視野に逆走防止装置１０の標識１１が入る。標識１１は、退出方向に沿って所定間隔ごとに設置され、標示部１４には退出方向へ向いた矢印１４ａが付与されているので、運転者が標識１１の標示部１４に気が付けば、この矢印１４ａが指し示す方向により運転者に退出方向を認識させることができる。
【００２７】
運転者は、運転中であると視野に入っているものでも、そのものの存在に気が付かないときがある。しかし、標示部１４には、発光体１４ｂが設けられているので、運転者に対して注意を喚起させることができる。また夜間では更に矢印１４ａを目立たせることができるので、より効果的である。
【００２８】
また、発光体１４ｂを断続的に点灯させれば、連続的に点灯するより更に運転者の注意を喚起することができる。
更に、標識１１の発光状態を退出方向へ移動させたり、滅灯状態を退出方向へ移動させたりすれば、矢印１４ａが認識できなくても、運転者に光源の移動により退出方向を認識させることができる。
【００２９】
標識１１は、標示部１４が道路面から立設されたポール１３の上部に設けられているので、ポール１３の高さを調整することで、ガードレール８が分離帯７に敷設されていても、標示部１４を運転者から視認しやすい高さとすることができる。
【００３０】
このようにして退出方向を誤認したことを自覚した運転者に、進入路４へ向かった状態から退出路６へと向かう退出方向へとハンドルを向けさせることができる。従って、逆走防止装置１０は、運転者に駐車場５から進入路４へ進入してしまう前に、逆走を気づかせることができるので、それぞれの車両が安全に走行することができる。
【００３１】
本実施の形態１では、標識１１が、進入路４から駐車場５を経由して退出路６に至るまで設置されている。標識１１は、進入路４へ逆走で進入する車両に対して視認できればよいので、少なくとも進入路４の出口付近に、退出方向に沿って設置されていればよい。しかし、逆走しそうな車両が進入路４の出口付近まで移動する際に順走する車両とすれ違うことでも危険性が伴うので、標識１１は、進入路４から退出路６に至るまで設置されているのが望ましい。
【００３２】
また、標示部１４が灰色の背景に橙色の矢印１４ａを塗装し、矢印１４ａの輪郭線上に発光体１４ｂを設けていたが、発光体１４ｂを矢印の輪郭線上に配置するのであれば、発光体１４ｂが矢印１４ａとしての機能も兼ね備えることができるので、矢印形状の塗装は省略することが可能である。
また、発光部は運転者に矢印の視認を促すことができればよいので、発光体１４ｂは矢印１４ａを円形状に囲うように配置してもよいし、大型の電球であれば、１個のみを配置するようにしてもよい。
【００３３】
（実施の形態２）
次に、本発明の実施の形態２に係る逆走防止装置を図面に基づいて説明する。図４において、実施の形態１に係る逆走防止装置と同様の構成は、同符号を付して説明を省略する。
【００３４】
図４に示す逆走防止装置１０ｘは、一方通行規制された一般道２１に面したコインパーキングと称される駐車場２２に設置されている。標識１１は、駐車場２２の出口２２ａとは反対側となる一般道２１の路肩に、退出方向に沿って所定間隔ごとに設置されている。
【００３５】
駐車場２２には、進入の際に入場門に設置された駐車開始時間を特定するための駐車券を発行して入口遮断機２３ａを開く発券機２３と、退出の際に駐車券を挿入して駐車料金を投入すると出口遮断機２４ａを開く精算機２４とが設置されている。
【００３６】
また、精算機２４は、駐車場２２を退出する車両の運転者が精算を済ませることで、出庫する車両を検知したことを示す検知信号を出力する出庫車検知装置として機能する。
検知信号は、標示部１４の発光体１４ｂの点灯を制御する制御装置２５に入力されている（図５参照）。
【００３７】
以上のように構成された本発明の実施の形態２に係る逆走防止装置１０ｘの動作および使用状態を図面に基づいて説明する。
駐車場２２に駐車した車両が、出庫するために出口２２ａに設置された精算機２４まで移動する。運転者は、入庫の際に発券機２３から発行された駐車券を精算機２４へ入れ、請求された料金を投入する。
【００３８】
精算機２４は、精算が完了すると出口遮断機２４ａを引き上げると共に、制御装置２５へ検知信号を出力する。制御装置２５は、検知信号を入力すると、それぞれの列状に配置された標識１１の発光体１４ｂに対して、退出方向となる一方通行の順方向へ発光状態が移動するような点灯を行う。
【００３９】
そうすることで、運転者は、駐車場２２からの退出方向を視認することができるので、一方通行を逆走してしまうような事態を回避することができる。
【００４０】
本実施の形態２では、精算機２４を出庫車検知装置として機能させているが、接近センサを出口２２ａに設け、出庫する車両が接近したことを契機に出力される接近センサから信号を検知信号とすることで、接近センサを出庫車検知装置と機能させてもよい。その場合には、接近センサを準備するだけでよく、精算機は従来のものがそのまま使用できる。
しかし、車両の接近だけで標識１１の発光体１４ｂを点灯させると、悪意のある者が接近センサに接近して制御装置２５を動作させるようないたずらなどが心配されるので、精算機２４を出庫検知装置として機能させるのが望ましい。接近センサを出庫車検知装置と機能させる場合には、精算機の設置がない無料駐車場でも逆走防止装置を設置することができる。
【００４１】
また、発光体１４ｂを点灯させる際の電力があまり問題にならないようであれば、発光体１４ｂは連続的に発光させるようにしてもよい。
【００４２】
（実施の形態１，２の第１変形例）
次に、実施の形態１，２の第１変形例を、図面に基づいて説明する。実施の形態１，２では、道路面に立設したポール１３とポール１３の上部に設けられた標示部１４とを備えた標識１１としているが、第１変形例ではガードレールに標識を設けるようにしている。
【００４３】
図６（ａ）に示す例では、標識３１は、長尺状の標示部３２を、ガードレール８のビーム８ａに取り付けたものである。この標示部３２には、列状に所定間隔ごとに矢印１４ａが設けられていると共に、矢印１４ａの輪郭線上に、発光部として機能する矢印１４ａを囲う発光体１４ｂが設けられている。例えば、高速道路の休憩施設に設ける場合には標識３１を設置する距離に応じて複数設けるようにする。また、一般道路に出口が面した駐車場に設ける場合には標識３１を１枚のみ設けるようにしてもよい。
このようにガードレール８のビーム８ａに標識３１を設置することで、支柱８ｂにより標識３１を所定高さに設置することができるので、標識を所定高さとするための部材を新たに準備することなく設置することができる。
【００４４】
図６（ｂ）に示す例では、支柱３３をビーム８ａに取り付けて支持させることにより、図６（ａ）に示す標識３１を、ビーム８ａの高さより高い位置に設置している。そうすることで、運転席が高い位置ある車両でも視認性を確保することができる。
【００４５】
図６（ｃ）に示す例では、図２に示す標識１１のポール１３をビーム８ａに取り付けて支持させることで、所定高さとするためのポール１３の長さを短くすることができるので、ポール１３の直径も細くすることができる。
【００４６】
なお、図６（ａ）から同図（ｃ）に示す変形例では、標識３１，１１をガードレール８に設置しているが、標識３１，１１をガードレール８の代わりにガードパイプに設置しても同様の効果が得られる。
【００４７】
（実施の形態１，２の第２変形例）
次に、実施の形態１，２の第２変形例を、図面に基づいて説明する。実施の形態１，２では、標示部１４として、矢印１４ａの輪郭線上に、発光ダイオードによる発光体１４ｂを設けたものとしているが、第２変形例では矢印を背面側から発光部により照光するようにしている。
【００４８】
図７に示す標識１１ｘは、ポール１３の上部に、標示部１５が設けられている。標示部１５は、灰色の背景に橙色の矢印１６ａが形成された前面板１６と、金属製のケーシング１７と、ケーシングの１７内に配置され、前面板１６を背面側から照光する発光部として機能する発光体１８とを備えている。
【００４９】
前面板１６は少なくとも矢印１６ａ部分が光透過性を有していれば、発光体１８からの照光により、退出方向が前方から視認できる。従って、前面板１６の矢印１６ａを除く残余の部分は光不透過な材質のものでもよいし、矢印１６ａと色違いにより矢印１６ａが視認できるのであれば光透過な材質のものでもよい。
ケーシング１７は、ポール１３の取付部分から前面板１６へ向かうに従って直径が徐々に広くなるようなカップ状に形成されている。このケーシング１７は周壁面が傾斜面となっていることで、反射板として機能する。
発光体１８は、電球もしくは発光ダイオードとすることができる。発光体１８は、矢印１６ａを背面側から照光して、前方から視認できるのであれば、１灯でも複数灯を組み合わせたものであってもよい。
【００５０】
このように第２変形例では、標識１５として、前面板１６の矢印１６ａを背面から発光体１８が照光するような構成としても、実施の形態１，２と同様の効果が得られる。また、発光体１８はケーシング１７内に配置されるので、汚れにくい。更に発光体１８に太陽光が照射されたり、雨が直接当たったりしないので、高い耐候性を確保することができる。また、電池や点滅回路１４ｃをケーシング１７内に実装することも可能である。
【産業上の利用可能性】
【００５１】
本発明の逆走防止装置は、高速道路の休憩施設や、一方通行の一般道路に出口が面した駐車場だけでなく、有料道路の駐車施設や立体駐車場にも好適である。
【符号の説明】
【００５２】
１  高速道路
２  本線
３  休憩施設
４  進入路
５  駐車場
６  退出路
７  分離帯
８  ガードレール
８ａ  ビーム
８ｂ  支柱
１０，１０ｘ  逆走防止装置
１１  標識
１２  コンクリートブロック
１３  ポール
１４  標示部
１４ａ  矢印
１４ｂ  発光体
１４ｃ  点滅回路
１４ｄ  制御装置
１５  標示部
１６  前面板
１６ａ  矢印
１７  ケーシング
１８  発光体
２１  一般道
２２  駐車場
２２ａ  出口
２３  発券機
２３ａ  入口遮断機
２４  精算機
２４ａ  出口遮断機
２５  制御装置
３１  標識
３２  標示部
３３  支柱
【図１】
2011013946.tif 000003
【図２】
2011013946.tif 000004
【図３】
2011013946.tif 000005
【図４】
2011013946.tif 000006
【図５】
2011013946.tif 000007
【図６】
2011013946.tif 000008
【図７】
2011013946.tif 000009